(57)【特許請求の範囲】
【請求項１】
時計機構を備えた照明器具において、
時刻を数字で表示して視認可能に配置された時刻表示手段と、該時刻表示手段の時刻表示の方向を、使用者の視点に応じた最適な方向に切替選択する表示方向切替手段とを備えており、
前記時刻表示手段は、時、分、コロンの各表示単位領域毎に略等角度で放射状に分割配置されている、複数の発光ダイオード素子からなる発光ダイオード素子群で構成され、かつ
前記表示方向切替手段は、時刻表示を行う範囲を一表示単位領域ずつ隣にずらして切り替えることを特徴とする照明器具。
【発明の詳細な説明】
【技術分野】
【０００１】
本発明は、時計機構を備えた照明器具に関する。
【背景技術】
【０００２】
目覚まし時計には、夜間就寝中に目が覚めた場合に時刻の確認が容易に行えるように、照明装置が内蔵されたものがある。しかしながら、このような目覚まし時計では、就寝者は、枕元に置いた時計を探して照明点灯用のスイッチを押しているうちに、眠気が覚めてしまう等の不都合があり、就寝者の安眠が妨げられる要因となっていた。
【０００３】
上述のような目覚まし時計の照明装置を使わなくても容易に時刻確認ができるように、例えば、特許文献１には、照明器具の内部に時計を設け、かかる時計の時刻表示を外部から視認可能に構成して、就寝者の安眠を確保することが提案されている。
【特許文献１】特開２００２−９０４７２号公報
【０００４】
しかしながら、前記のような照明器具では、内蔵された時計の上下方向を就寝位置に合わせて固定しなければならないため、仮に就寝者が適切ではない位置で就寝した場合には、時刻表示を確認することが非常に困難であった。
【発明の開示】
【発明が解決しようとする課題】
【０００５】
本発明の課題は、かかる問題点を解消するため、就寝位置に左右されることなく就寝者の安眠を促進するため、内蔵された時計の時刻表示の方向を就寝位置に応じた適切な方向に切替選択することができる照明器具を提供することである。
【課題を解決するための手段】
【０００６】
前記課題を解決するための手段として、本発明は、時計機構を備えた照明器具において、時刻を数字で表示して視認可能に配置された時刻表示手段と、該時刻表示手段の時刻表示の方向を、使用者の視点に応じた最適な方向に切替選択する表示方向切替手段とを備えており、前記時刻表示手段は、時、分、コロンの各表示単位領域毎に略等角度で放射状に分割配置されている、複数の発光ダイオード素子からなる発光ダイオード素子群で構成され、かつ前記表示方向切替手段は、時刻表示を行う範囲を一表示単位領域ずつ隣にずらして切り替えるものである。
【発明の効果】
【００１５】
前記手段によれば、就寝位置に合わせて時計表示の方向を適宜選択することができるので、就寝位置を考慮して照明器具を設置する必要がなくなり、突然に目が覚めてもほとんど視線を移動させることなく、容易に時刻を確認することが可能となり、就寝者の安眠を促進することができる。
【発明を実施するための最良の形態】
【００１６】
本発明の実施形態を添付の図面にしたがって説明する。
【００１７】
図１は、本発明の第１実施形態に係る照明器具１であって、図１（ａ）は点灯時、図１（ｂ）は消灯時を示している。照明器具１は、照明ユニット２と、該照明ユニット２の消灯、点灯等を操作するリモコン操作ユニット３とで構成されている。図２は、本実施形態に係る照明ユニット２の拡大断面図である。図３及び図４は、照明ユニット２に内蔵される後述の第１ＬＥＤ表示器９と第２ＬＥＤ表示器１０の配置を示した説明図である。照明ユニット２は、天井取付タイプの照明ユニットであり、照明ユニット本体４と、光源としての４８Ｗ，３８Ｗ，２８Ｗ型環状蛍光灯５，６，７と、常夜灯８と、時刻を表示する第１ＬＥＤ表示器９，１０と、カバー１１とを備える。
【００１８】
照明ユニット本体４は、上面中央に設けられた不図示の取付機構によって天井に取り付けられる。環状蛍光灯５，６，７は、照明ユニット本体４に保持されている。カバー１１は、照明ユニット本体４の外周に着脱可能に取り付けられている。カバー１１は、半透明のカバーであることが好ましい。特に、半透明のカバーである場合、カバー１１は、時刻表示を行う第１ＬＥＤ表示器９，１０が位置する部分において時刻数字を認識しうるほどの透明性を有する部分を備えていることが好適である。
【００１９】
第１、第２ＬＥＤ表示器９，１０は、照明ユニット本体４の中心部２０を中心にした周方向に９０度又は略９０度の間隔をおいて配置され、各表示部９ａ〜ｅ，１０ａ〜ｅに表示される数字等の配列方向が相互に略直交又は直交するように配置されている。
【００２０】
第１、第２ＬＥＤ表示器９，１０は、第１表示部９ａ，１０ａと、第２表示部９ｂ，１０ｂと、コロン表示部９ｃ，１０ｃと、ＯＮタイマー設定時に点灯するＯＮ表示部９ｄ，１０ｄと、ＯＦＦタイマー設定時に点灯するＯＦＦ表示部９ｅ，１０ｅとで構成されている。
【００２１】
第１表示部９ａ，１０ａは、赤色光を発するａ〜ｇの７つのセグメントからなる２つの７セグメントＬＥＤ９ａ１，９ａ２，１０ａ１，１０ａ２で形成され、前記各ＬＥＤ表示器９，１０の左側に配置されている。第２表示部９ｂ，１０ｂは、同様に、７つのセグメントからなる２つの７セグメントＬＥＤ９ｂ１，９ｂ２，１０ｂ１，１０ｂ２で形成され、前記各ＬＥＤ表示器９，１０の右側に配置されている。コロン表示部９ｃ，１０ｃは、赤色光を発する円形ＬＥＤで形成され、前記第１表示部９ａ，１０ａと第２表示部９ｂ，１０ｂの間に配置されている。
【００２２】
ＯＮ表示部９ｄ，１０ｄは、赤色光を発する３つの７セグメントＬＥＤで形成され、前記第１表示部９ａ，１０ａの左上に配置されている。ＯＦＦ表示部９ｅ，１０ｅは、赤色光を発する３つの７セグメントＬＥＤで形成され、前記第２表示部９ｂ，１０ｂの右上に配置されている。
【００２３】
第１、第２ＬＥＤ表示器９，１０の各表示桁９ａ１，９ａ２，９ｂ１，９ｂ２，１０ａ１，１０ａ２，１０ｂ１，１０ｂ２は、後に詳述するダイナミック点灯方式で制御される。第１、第２ＬＥＤ表示器９，１０の各表示桁９ａ１，９ａ２，９ｂ１，９ｂ２，１０ａ１，１０ａ２，１０ｂ１，１０ｂ２は、裸眼視力０．０６の使用者であっても、裸眼で時刻表示が確認できるように、その高さが６０ｍｍ以上であることが好ましい。
【００２４】
図５は、環状蛍光灯５，６，７及び常夜灯８の点灯及び消灯、第１、第２ＬＥＤ表示器９，１０の時刻表示及び表示方向等を制御する制御部１２を示す。制御部１２には、電源回路１３と、赤外線信号受信部１４と、水晶発信器１５と、リセットＩＣ１６と、クロックＩＣ１７とが配設されている。電源回路１３は、電源コネクタ１８を介して動作電源を制御部１２に供給する。赤外線信号受信部１４は、リモコン操作ユニット３からの赤外線信号を受信して制御部１２に送信する。水晶発信器１５は、所定の周波数の発信子に基づくクロックを生成し、制御部１２を動作させる。リセットＩＣ１６は、電源供給時に電源電圧を正常に立ち上げ、周辺回路が安定するまで制御部１２をリセット状態にし、停電時に制御部１２や周辺回路を瞬時に初期状態に戻す。クロックＩＣ１７は、前記水晶発信器１５とは別個に不図示の水晶発信器を有し、該水晶発信器が生成した発信子によって発生したクロックに基づいて計時動作を行い、時刻データを制御部１２に送信する。制御部１２は、クロックＩＣ１７より送信された時刻データに基づいて、時刻表示データを第１ＬＥＤ表示器９又は第２ＬＥＤ表示器１０に送信して時刻表示を行う。クロックＩＣ１７には、停電時に電源を供給するバックアップ電池１９が配設されている。
【００２５】
図６は、本実施形態に係る照明器具１のリモコン操作ユニット３を示し、図７は、リモコン操作ユニット３のブロック図である。リモコン操作ユニット３は、筐体２０と、各種操作スイッチ２１〜３１と、電源部３２と、制御部３３と、赤外線信号発信部３４とで構成される。各種操作スイッチ２１〜３１は、筐体２０に適宜配設され、前記環状蛍光灯５，６，７及び常夜灯８の点灯、消灯を操作するライトスイッチ２１と、一定時間経過後に照明を点灯させるＯＮタイマーの起動及びその解除を操作するＯＮタイマースイッチ２２と、一定時間経過後に照明を消灯させるＯＦＦタイマーの起動及びその解除を操作するＯＦＦタイマースイッチ２３と、前記第１ＬＥＤ表示器９又は第２ＬＥＤ表示器１０に表示された時刻表示の点灯及び消灯を操作するクロックスイッチ２４と、時刻表示の方向を９０度毎に切替選択する表示方向スイッチ２５と、時刻設定モードの起動、決定、解除を操作する時刻設定スイッチ２６と、ＯＮタイマー設定モードの起動、決定、解除を操作するＯＮ設定スイッチ２７と、ＯＦＦタイマー設定モードの起動、決定、解除を操作するＯＦＦ設定スイッチ２８と、各種設定モード時の時間及び分の数値の加算及び減算を操作するＵＰスイッチ２９、ＤＯＷＮスイッチ３０と、各種設定モード時の時間及び分の設定箇所を変更する送りスイッチ３１とからなる。電源部３２は、乾電池３５と、該乾電池３５によって生成される動作電源を制御部３３に供給する電源回路３６とで構成される。制御部３３は、筐体２０の内部に設けられ、前記各種操作スイッチ２１〜３１を操作して送信されたワイヤレス信号を受信して、赤外線信号発信部３４に送信する。赤外線信号発信部３４は、前記ワイヤレス信号を受信して、照明ユニット２の赤外線信号受信部１４に送信する。
【００２６】
ここで、前記第１、第２ＬＥＤ表示器９，１０のダイナミック点灯方式について、図８及び図９を参照して説明する。図８は、前記第１ＬＥＤ表示器９又は第２ＬＥＤ表示器１０に送信される点灯信号及び表示データ信号のタイミングチャートを示している。以下の説明では、ＯＮ表示部９ｄ，１０ｄとＯＦＦ表示部９ｅ，１０ｅが、第１、第２表示部９ａ，９ｂ，１０ａ，１０ｂの上方にある場合を、第１、第２ＬＥＤ表示器９，１０の正方向といい、反対の場合を第１、第２ＬＥＤ表示器９，１０の逆方向という。
【００２７】
第１ＬＥＤ表示器９又は第２ＬＥＤ表示器１０において１２時３４分を正方向に表示する場合、制御部１２は、まず、一定期間ｔ１の間、表示桁９ａ１，１０ａ１に点灯信号Ａと、表示内容「１」に応じたセグメントｂ，ｃに表示データ信号を送信する。一定期間ｔ１経過後、制御部１２は、一定期間ｔ２の間、表示桁９ａ２，１０ａ２に点灯信号Ｂと、表示内容「２」に応じたセグメントａ，ｂ，ｄ，ｅ，ｇに表示データ信号を送信する。一定期間ｔ２経過後、制御部１２は、一定期間ｔ３の間、表示桁９ｂ１，１０ｂ１に点灯信号Ｃと、表示内容「３」に応じたセグメントａ，ｂ，ｃ，ｄ，ｇに表示データ信号を送信する。一定期間ｔ３経過後、制御部１２は、一定期間ｔ４の間、表示桁９ｂ２，１０ｂ２に点灯信号Ｄと、表示内容「４」に応じたセグメントｂ，ｃ，ｆ，ｇに表示データ信号を送信する。図９に示したように、前記処理を繰り返すことにより、第１ＬＥＤ表示器９又は第２ＬＥＤ表示器１０の各表示桁９ａ１，９ａ２，９ｂ１，９ｂ２，１０ａ１，１０ａ２，１０ｂ１，１０ｂ２に「１，２，３，４」の数字が順次表示され、残像現象により第１ＬＥＤ表示器９又は第２ＬＥＤ表示器１０が「１２：３４」を表示しているように見える。上記の点灯信号及び表示データ信号の送信時間ｔ１〜ｔ４を制御して、第１、第２ＬＥＤ表示器９，１０の輝度を調節すると、使用者の安眠を妨げることがなく、また、消費電力を抑制することが可能となる。
【００２８】
上記構成を備えた照明器具１におけるリモコン操作ユニット３を用いた表示方向切替の手順について説明する。
【００２９】
例えば、図３に示すように、時刻が第１ＬＥＤ表示器９の正方向において表示されている場合に、リモコン操作ユニット３の表示方向スイッチ２５を押すと、赤外線信号受信部１４より表示方向切替信号を受信した制御部１２は、第１ＬＥＤ表示器９に対して時刻表示を消灯するように指令し、かつ、第２ＬＥＤ表示器１０に対して時刻表示を正方向に点灯するように指令する。これにより、第２ＬＥＤ表示器１０の正方向において現在時刻が表示され、時刻表示の方向が、最初の表示方向から９０度切り替わる。この状態で、さらに表示方向スイッチ２５を押すと、赤外線信号受信部１４より表示方向切替信号を受信した制御部１２は、第２ＬＥＤ表示器１０に対して時刻表示を消灯するように指令し、かつ、第１ＬＥＤ表示器９に対して時刻表示を逆方向に点灯するように指令する。これにより、図４に示すように、第１ＬＥＤ表示器９の逆方向において現在時刻が表示され、時刻表示の方向が、最初の表示方向から１８０度切り替わる。この状態で、さらに表示方向スイッチ２５を押すと、赤外線信号受信部１４より表示方向切替信号を受信した制御部１２は、第１ＬＥＤ表示器９に対して時刻表示を消灯するように指令し、かつ、第２ＬＥＤ表示器１０に対して時刻表示を逆方向に点灯するように指令する。これにより、第２ＬＥＤ表示器１０の逆方向において現在時刻が表示され、時刻表示の方向が、最初の表示方向から２７０度切り替わることになる。この状態で、さらに表示方向スイッチ２５を押すと、赤外線信号受信部１４より表示方向切替信号を受信した制御部１２は、第２ＬＥＤ表示器１０に対して時刻表示を消灯するように指令し、かつ、第１ＬＥＤ表示器９に対して時刻表示を正方向に点灯するように指令する。これにより、第１ＬＥＤ表示器９の正方向において現在時刻が表示され、時刻表示の方向が切り替わって最初の表示方向に戻る。前記のように、本発明の第１実施形態に係る照明器具１によれば、リモコン操作ユニット３の表示方向スイッチ２５を押す毎に、時刻表示の方向を９０度ずつ切り替えることができるので、使用者は就寝位置等に合わせて、時刻表示の方向を適宜選択することが可能となる。
【００３０】
この実施形態では、表示方向スイッチ２５を押して切り替わる表示順序を、第１ＬＥＤ表示器９の正方向、第２ＬＥＤ表示器１０の正方向、第１ＬＥＤ表示器９の逆方向、第２ＬＥＤ表示器１０の逆方向の順にしたが、第１ＬＥＤ表示器９の正方向、第１ＬＥＤ表示器９の逆方向、第２ＬＥＤ表示器１０の正方向、第２ＬＥＤ表示器１０の逆方向の順としてもよく、その表示順序は任意に設定することができる。
【００３１】
次に、リモコン操作ユニット３を用いた時刻設定、ＯＮタイマー設定、ＯＦＦタイマー設定の手順について説明する。時刻設定スイッチ２６を押すと、第１、第２ＬＥＤ表示器９，１０のうち時刻表示しているいずれか一方の表示器の時間表示部とコロン表示部が点滅して時刻調整が可能となり、送りスイッチ３１で調整したい時間表示部と分表示部を適宜選択しながら、ＵＰ、ＤＯＷＮスイッチで時間又は分を調整する。時刻設定スイッチ２６を再度押すと、時刻調整を終了させることができ、この時点から現在時刻の計測が開始される。
【００３２】
ＯＮ設定スイッチ２７を押すと、第１、第２ＬＥＤ表示器９，１０のうち時刻表示しているいずれか一方の表示器の時間表示部が点滅して起動時刻の設定が可能となり、送りスイッチ３１で設定したい時間表示部と分表示部を適宜選択しながら、ＵＰ、ＤＯＷＮスイッチでＯＮタイマー起動の時間を設定する。ＯＮタイマースイッチ２２を押すと、ＯＮタイマーが起動し、いずれかのＯＮ表示部９ｄ，１０ｄに「Ｏｎ」の文字が点灯する。制御部１２は、設定した時刻になると、自動的に電源回路１３に電源を供給して環状蛍光灯５，６，７を点灯させる。
【００３３】
ＯＦＦ設定スイッチ２７を押すと、第１、第２ＬＥＤ表示器９，１０のうち時刻表示しているいずれか一方の表示器の時間表示部の上表示桁が点滅して消灯モードの選択が可能となり、送りスイッチ３１で消灯モード設定と消灯時間設定を適宜選択しながら、ＵＰ、ＤＯＷＮスイッチで消灯モードの選択と消灯時間の選択を行う。ＯＦＦタイマースイッチ２３を押すと、ＯＦＦタイマーが起動し、いずれかのＯＦＦ表示部９ｅ，１０ｅに「ＯＦＦ」の文字が点灯する。制御部１２は、設定した時間が経過すると、自動的に電源回路１３への電源の供給を中断し、環状蛍光灯５，６，７を消灯させる。
【００３４】
ＯＮ表示部９ｄ，１０ｄ及びＯＦＦ表示部９ｅ，１０ｅを設けずに、コロン表示部９ｃ，１０ｃを赤色光・緑色光を発する２色発光ＬＥＤで構成し、ＯＮタイマー設定時には、コロン表示部９ｃ，１０ｃの上側９ｃ１，１０ｃ１を緑色で点灯させ、ＯＦＦタイマー設定時には、コロン表示部９ｃ，１０ｃの下側９ｃ２，１０ｃ２を緑色で点灯させてもよい。
【００３５】
本実施形態では、ＬＥＤ表示器９，１０を２つ設けているが、部屋の広さ等に応じて２方向のみしか必要ないときは、１つのみ設けて、時刻表示を上下方向に反転することができるようにして、時刻表示の方向を１８０度ずつ切り替えることができるようにしてもよい。また、リモコン操作ユニット３の表示方向スイッチ２５を押す毎に、表示方向を正逆反転させずに時刻表示の方向を９０度ずつ切り替えることができるように、４つの第１〜第４ＬＥＤ表示器が、照明ユニット本体４の中心部２０を中心にした周方向に略９０度又は９０度の間隔をおいて配置されていてもよい。また、時刻表示を行うのに用いられる表示器は、本実施形態のような７セグメントＬＥＤで形成されたＬＥＤ表示器９，１０に限定されるものではなく、有機ＥＬディスプレイ又は無機ＥＬディスプレイ、あるいは液晶ディスプレイを備えた表示器を採用して、アラビア数字の他、ローマ数字や漢数字で時刻表示を行って、表示方向を選択することができるようにしてもよい。
【００３６】
図１０は、本発明の第２実施形態に係る照明器具１を示す。本実施形態に係る照明器具１を構成する照明ユニット２及びリモコン操作ユニット３は、前記第１実施形態のような環状蛍光灯５，６，７、常夜灯８、第１、第２ＬＥＤ表示器９，１０を備えず、発光ダイオード素子群３７を設けた点を除けば、前記第１実施形態の照明器具１と同一であるので、対応する部分に同一符号を付して説明を省略する。
【００３７】
照明ユニット２は、天井取付タイプの照明ユニットであり、照明ユニット本体４と、光源としての発光ダイオード素子群３７と、カバー１１とを備える。発光ダイオード素子群３７は、図１０及び図１１に示したように、複数の発光ダイオード素子３８からなる。発光ダイオード素子群３７は、４つの領域に分割配置され、時、コロン、分からなる時刻表示及びＯＮ表示とＯＦＦ表示を行う第１〜第４時刻表示領域３７ａ〜３７ｄを照明ユニット本体４の下部に形成する。
【００３８】
発光ダイオード素子群３７が、単色光を発する発光ダイオード素子３８からなる場合は、図１２（ａ）に示したように、点灯時に発光ダイオード素子３８の一部を消灯した一部消灯部分を形成して時刻表示等を行い、図１２（ｂ）に示したように、消灯時に発光ダイオード素子３８の一部を点灯した一部点灯部分を形成して時刻表示等を行う。一方、発光ダイオード素子群３７が、黄色・白色系又は黄色・赤色系の２色光を発する発光ダイオード素子３８（２色発光ダイオード素子）、あるいは赤色・緑色・青色の３色光で合成白色光を発する発光ダイオード素子３８（３色発光ダイオード素子）からなる場合は、図１２（ｃ）に示したように、点灯時に複数の発光ダイオード素子３８の一部を異なる色（黄色・白色系の２色発光ダイオード素子の場合は黄色、黄色・赤色系の２色発光ダイオード素子の場合は赤色、３色発光ダイオード素子の場合は、例えば、単色の赤色）で点灯させた一部異色点灯部分を形成して時刻表示等を行い、図１２（ｄ）に示したように、消灯時に複数の発光ダイオード素子３８の一部を点灯した一部点灯部分を形成して時刻表示等を行う。
【００３９】
図１３は、本発明の第２実施形態に係る照明ユニットの電気的構成を示すブロック図である。制御部１２は、発光ダイオード素子群３７に一部消灯信号又は一部異色点灯信号を送信したり、一部点灯信号を送信したりすることができ、クロックＩＣ１７より送信される時刻データに基づいて、時刻表示データを発光ダイオード素子群３７の時刻表示領域３７ａ〜３７ｄのいずれかに送信して、点灯時に一部消灯部分又は一部異色点灯部分、消灯時に一部点灯部分を形成させて時刻表示を行う。
【００４０】
上記構成を備えた照明器具１におけるリモコン操作ユニット３を用いた表示方向切替の手順について説明する。例えば、図１１において、点灯時に時刻が第１表示領域３７ａにおいて表示されている場合に、表示方向スイッチ２５を押すと、赤外線信号受信部１４より表示方向切替信号を受信した制御部１２は、第１表示領域３７ａに対して時刻表示を行っている一部消灯部分を点灯、又は一部異色点灯部分を同色点灯するように指令し、かつ、第２表示領域３７ｂに対して時刻表示を行う箇所の発光ダイオード素子３８を消灯又は異なる色に点灯するように指令する。これにより、第２表示領域３７ｂにおいて現在時刻が表示され、時刻表示の方向が、最初の表示方向から９０度切り替わる。この状態で、表示方向スイッチ２５を押すと、赤外線信号受信部１４より表示方向切替信号を受信した制御部１２は、第２表示領域３７ｂに対して時刻表示を行っている一部消灯部分を点灯、又は一部異色点灯部分を同色点灯するように指令し、かつ、第３表示領域３７ｃに対して時刻表示を行う箇所の発光ダイオード素子３８を消灯又は異なる色に点灯するように指令する。これにより、第３表示領域３７ｃにおいて現在時刻が表示され、時刻表示の方向が、最初の表示方向から１８０度切り替わる。この状態で、表示方向スイッチ２５を押すと、赤外線信号受信部１４より表示方向切替信号を受信した制御部１２は、第３表示領域３７ｃに対して時刻表示を行っている一部消灯部分を点灯、又は一部異色点灯部分を同色点灯するように指令し、かつ、第４表示領域３７ｄに対して時刻表示を行う箇所の発光ダイオード素子３８を消灯又は異なる色に点灯するように指令する。これにより、第４表示領域３７ｄにおいて現在時刻が表示され、時刻表示の方向が、最初の表示方向から２７０度切り替わることになる。この状態で、表示方向スイッチ２５を押すと、赤外線信号受信部１４より表示方向切替信号を受信した制御部１２は、第４表示領域３７ｄに対して時刻表示を行っている一部消灯部分を点灯、又は一部異色点灯部分を同色点灯するように指令し、かつ、第１表示領域３７aに対して時刻表示を行う箇所の発光ダイオード素子３８を消灯又は異なる色に点灯するように指令する。これにより、第１表示領域３７aにおいて現在時刻が表示され、時刻表示の方向が切り替わって最初の表示方向に戻る。前記のように、第２実施形態に係る照明器具１によれば、リモコン操作ユニット３の表示方向スイッチ２５を押す毎に、時刻表示の方向を９０度ずつ切り替えることができるので、使用者は就寝位置等に合わせて、時刻表示の方向を適宜選択することが可能となる。
【００４１】
本発明の第２実施形態におけるリモコン操作ユニット３を用いた時刻設定、ＯＮタイマー設定及びＯＦＦタイマー設定の手順については、前記第１実施形態と同様であるので説明を省略する。
【００４２】
図１４は、本発明の第３実施形態に係る照明器具１を示す。本実施形態に係る照明器具１を構成する照明ユニット２及びリモコン操作ユニット３は、前記第１実施形態のような環状蛍光灯５，６，７、常夜灯８、第１、第２ＬＥＤ表示器９，１０を備えず、その代わりに発光ダイオード素子群３７を設けた点を除けば、前記第１実施形態の照明器具１と同一であるので、対応する部分に同一符号を付して説明を省略する。
【００４３】
照明ユニット２は、天井取付タイプの照明ユニットであり、照明ユニット本体４と、光源としての発光ダイオード素子群３７と、カバー１１とを備える。発光ダイオード素子群３７は、図１４及び図１５に示したように、複数の発光ダイオード素子３８からなる。複数の発光ダイオード素子群３７は、第１〜第１２表示単位領域３７ａ〜３７ｌを構成し、該各表示単位領域３７ａ〜３７ｌ毎に略等角度又は等角度で放射状に分割配置されている。各表示単位領域３７ａ〜３７ｌには、複数の発光ダイオード素子３８が均等に配置されて、時、分、コロン等の文字を表示する。
【００４４】
発光ダイオード素子群３７が、単色光を発する発光ダイオード素子３８からなる場合又は、発光ダイオード素子群３７が、黄色・白色系又は黄色・赤色系の２色光を発する発光ダイオード素子３８（２色発光ダイオード素子）、あるいは赤色・緑色・青色の３色光で合成白色光を発する発光ダイオード素子３８（３色発光ダイオード素子）からなる場合は、前記第２実施形態と同様の方法で時刻表示等を行うので、説明を省略する。時刻表示の例として、図１５において、右側の５つの第１〜第５表示単位領域３７ａ〜３７ｅで、時、コロン、分からなる時刻表示をし、上側の第１２表示単位領域３７ｌと下側の第６表示単位領域３７ｆで、ＯＮ表示、ＯＦＦ表示をしてもよい。
【００４５】
本発明の第３実施形態に係る照明ユニット２の電気的構成は、図１３の第２実施形態に係る照明ユニット２と同様の構成であるので説明を省略する。
【００４６】
上記構成を備えた照明器具１におけるリモコン操作ユニット３を用いた表示方向切替の手順について説明する。例えば、図１５のように、時刻が第１〜第５表示単位領域３７ａ〜３７ｅにおいて表示され、ＯＮ表示、ＯＦＦ表示されていない場合に、表示方向スイッチ２５を押すと、赤外線信号受信部１４より表示方向切替信号を受信した制御部１２は、第１表示単位領域３７ａに対して時間の上の桁を表示している一部消灯部分を点灯、又は一部異色点灯部分を同色点灯するように指令し、かつ、第２〜第６表示単位領域３７ｂ〜ｆに対して時刻表示を行う箇所の発光ダイオード素子３８を消灯又は異なる色に点灯するように指令する。これにより、第２〜第６表示領域３７ｂ〜３７ｆにおいて現在時刻が表示され、時刻表示の方向が３０度切り替わる。このように、表示方向スイッチ２５を押す毎に、制御部１２は、適切な方向から観察した場合に最も左側に位置する表示単位領域に対して一部消灯部分を点灯、又は一部異色点灯部分を同色点灯するように指令し、かつ、それよりも右側に位置する表示単位領域に対して時刻表示を行う箇所の発光ダイオード素子３８を消灯又は異なる色に点灯するように指令する。前記のように、第３実施形態に係る照明器具１によれば、リモコン操作ユニット３の表示方向スイッチ２５を押す毎に、時刻表示を行う範囲が一表示単位領域ずつ隣にずれて時刻表示の方向を３０度ずつ切り替えることができるので、使用者は就寝位置等に合わせて、第１実施形態及び第２実施形態よりも適切な時刻表示の方向を適宜選択することが可能となる。
【００４７】
なお、本発明の第３実施形態のように、発光ダイオード素子群３７が各表示単位領域３７ａ〜３７ｌ毎に放射状に分割配置されている場合には、照光斑が生じないようにするため、外側を上方に傾けた状態で基板３９を照明ユニット本体４に取り付けるのが好ましい。このため、発光ダイオード素子群３７の照光角度が調節できるように、図１６のヒンジ部４０のような角度調節機構が基板３９と照明ユニット本体４の間に設けられていてもよい。
【図面の簡単な説明】
【００４８】
【図１】本発明の第１実施形態に係る照明器具の斜視図である。
【図２】図１の照明器具を構成する照明ユニットの拡大断面図である。
【図３】図２の照明ユニットに内蔵される第１ＬＥＤ表示器と第２ＬＥＤ表示器の配置を示した説明図であり、時刻表示が正方向に表示された状態を示している。
【図４】図２の照明ユニットに内蔵される第１ＬＥＤ表示器と第２ＬＥＤ表示器の配置を示した説明図であり、時刻表示が逆方向に反転表示された状態を示している。
【図５】図１の照明器具を構成する照明ユニットの電気的構成を示すブロック図である。
【図６】図１の照明器具を構成するリモコン操作ユニットの正面図である。
【図７】図１の照明器具を構成するリモコン操作ユニットの電気的構成を示すブロック図である。
【図８】図４及び図５の第１ＬＥＤ表示器又は第２ＬＥＤ表示器に送信される点灯信号及び表示内容のデータ信号のタイミングチャートである。
【図９】ダイナミック点灯制御方式で制御される第１ＬＥＤ表示器又は第２ＬＥＤ表示器の表示処理を示す説明図である。
【図１０】本発明の第２実施形態に係る照明器具の概略図である。
【図１１】図１０の照明器具を構成する照明ユニットの内部構造を示す図である。
【図１２】図１０の照明器具の時刻表示の方法を示す説明図である。
【図１３】図１０の照明器具を構成する照明ユニットの電気的構成を示すブロック図である。
【図１４】本発明の第３実施形態に係る照明器具を示す概略図である。
【図１５】図１４の照明器具を構成する照明ユニットの内部構造を示す図である。
【図１６】図１４の照明ユニットの変形例を示す図である。
【符号の説明】
【００４９】
１  照明器具
２  照明ユニット
３  リモコン操作ユニット
９  第１ＬＥＤ表示器
９ａ  第１表示部
９ｂ  第２表示部
１０  第２ＬＥＤ表示器
１０ａ  第１表示部
１０ｂ  第２表示部
３７  発光ダイオード素子群
３８  発光ダイオード素子
【図１】
0004695970.tif 000002
【図２】
0004695970.tif 000003
【図３】
0004695970.tif 000004
【図４】
0004695970.tif 000005
【図５】
0004695970.tif 000006
【図６】
0004695970.tif 000007
【図７】
0004695970.tif 000008
【図８】
0004695970.tif 000009
【図９】
0004695970.tif 000010
【図１０】
0004695970.tif 000011
【図１１】
0004695970.tif 000012
【図１２】
0004695970.tif 000013
【図１３】
0004695970.tif 000014
【図１４】
0004695970.tif 000015
【図１５】
0004695970.tif 000016
【図１６】
0004695970.tif 000017